(57)【要約】【課題】直流高電圧電流回路を簡易に開閉できる簡易なスイッチを提供する。  【解決手段】表面に異なる導電特性を示す領域を有するスライド板と、スライド板の前記表面に接する少なくとも一の主電極接点を有し、前記一の主電極接点と前記スライド板の表面とが、スライド板の表面の面内をスライド板の表面の面に平行に相対的にスライド移動が可能にされており、前記一の主電極接点がスライド板の表面の導電性の無い絶縁部に接する時は電流が遮断し、前記一の主電極接点がスライド板の表面の導電性を有する導電部に接する時は電流が通電する電気回路の開閉を行うスイッチ構造であって、  前記一の主電極接点に対し前記スライド板の移動方向に距離を隔てた一の補助電極接点が前記スライド板表面に接するようにされており、前記一の主電極接点と前記一の補助電極接点とが電気的に導通するようにされていることを特徴とする電気回路の開閉を行うスイッチ構造。【選択図】図１
2015230888.tif 000002
【特許請求の範囲】
【請求項１】
表面に異なる導電特性を示す領域を有するスライド板と、スライド板の前記表面に接する少なくとも一の主電極接点を有し、前記一の主電極接点と前記スライド板の表面とが、スライド板の表面の面内をスライド板の表面の面に平行に相対的にスライド移動が可能にされており、前記一の主電極接点がスライド板の表面の導電性の無い絶縁部に接する時は電流が遮断し、前記一の主電極接点がスライド板の表面の導電性を有する導電部に接する時は電流が通電する電気回路の開閉を行うスイッチ構造であって、
前記一の主電極接点に対し前記スライド板の移動方向に距離を隔てた一の補助電極接点が前記スライド板表面に接するようにされており、前記一の主電極接点と前記一の補助電極接点とが電気的に導通するようにされていることを特徴とする電気回路の開閉を行うスイッチ構造。
【請求項２】
先端に主陰電極接点を有する導電性の主陰電極板と、先端に主陽電極接点を有する導電性の主陽電極板にてなる一対の主電極板が一定の距離を隔てて対向して設けられており、前記電極板に対し相対的にスライド移動することが可能なスライド板が設けられており、前記主陰電極接点と前記主陽電極接点がスライド板表面に接するようにされており、スライド板の表面には導電性の異なる領域が設けられており、スライド板がスライドされた位置により、主陰電極接点及び主陽電極接点に接するスライド板の表面が導電性を有する導電性部分である場合には主陰電極板と主陽電極板間がスライド板の表面の導電部を介して通電し、主陰電極接点と主陽電極接点に接するスライド板の表面が絶縁性部分である場合には通電しない、電気回路の開閉を行うスイッチ構造であって、
前記主電極板に平行な一又は複数の補助電極板対が前記主電極板に間隔を隔てて設けられており、導電性の補助陰電極板の先端には補助陰電極接点、導電性の補助陽電極板の先端には補助陽電極接点が設けられており、補助陰電極接点と補助陽電極接点とがスライド板表面に接するようにされており、主陰電極板と補助陰電極板とが電気的に導通しており、主陽電極板と補助陽電極板とが電気的に導通していることを特徴とする電気回路の開閉を行うスイッチ構造。
【請求項３】
補助電極板の補助陰電極接点は、スライド板のスライド方向に垂直な方向において他の陰電極接点と位置が異なり、かつ補助陽電極接点はスライド板のスライド方向に垂直な方向において他の陽電極接点と位置が異なる請求項１又は２に記載の電気回路の開閉を行うスイッチ構造。
【請求項４】
スライド板の表面と裏面に導電性の異なる領域が設けられており、導電性部分と絶縁性部分がスライド板のスライド方向に略直交する境界により区分けされて形成されており、陰電極接点及び／又は陽電極接点がスライド板の両面に設置されている請求項１乃至３に記載の電気回路の開閉を行うスイッチ構造。
【請求項５】
スライド板の表面の導電性部分と絶縁性部分の間に体積固有抵抗が１０-１〜１０8Ω・ｃｍで不燃性の材質にてなる中間帯が設けられていることを特徴とする請求項１乃至４のいずれかに記載の電気回路の開閉を行うスイッチ構造。
【請求項６】
陰電極板と陽電極板に流れる電流が直流電流である請求項１乃至５のいずれかに記載のスイッチ構造を有する電気回路の開閉を行うスイッチであって、筐体の内部に前記スライド板が、筐体内をスライド可能に収蔵され、筐体のスライド方向には、一対のキャップがそれぞれ筐体と摺動可能に取り付けられ、かつそれぞれのキャップはスライド板のスライド方向の端部と機械的に接続されており、
筐体には、陰極電力ケーブルと陽極電力ケーブルとがそれぞれ挿通される孔が開けられており、スライド板がスライドする方向と略直交する方向に主電極板対と補助電極板対が延在するように筐体に取り付けられ、前記主陰極板と補助陰極板とが前記陰極電力ケーブルと導通され、前記陽陰極板と補助陽極板とが前記陽極電力ケーブルと導通されていることを特徴とする電気回路の開閉を行うスイッチ。
【請求項７】
直流電流が太陽電池パネルで発電された直流電流である請求項６に記載の電気回路の開閉を行うスイッチ。
【請求項８】
電圧が１０００Ｖ以下である請求項６又は７に記載の電気回路の開閉を行うスイッチ。
【発明の詳細な説明】
【技術分野】
【０００１】
本発明は、電気回路の開閉を行うスイッチに関し、太陽電池モジュールから送電されるような直流高電圧電気回路の開閉を行うのに好適なスイッチであって、反対方向に作動するのに使用する直線的可動操作部品をもつ電気回路の開閉を行うスイッチに関する。
【背景技術】
【０００２】
太陽電池パネルからの電気出力は、電力ケーブルを介してスイッチ機能等が収納された接続箱に送られ更にインバータ機能を有するパワーコンディショナに送られる。メガソーラー等の太陽光発電システムにおいては広い地域に太陽電池パネルが設置されており、スイッチのある接続箱から遠方にあるパネルも多数存在する。  
太陽電池パネルの点検や故障修理を行う場合、危険防止のため接続箱内のスイッチにより回路の開閉を行うが、当該パネルが接続箱より遠くであったり、見えない位置にある場合には、遠くの接続箱に行ったり、苦労して確認せねばならず不便であり、危険防止の観点からも不安が残る。
又スイッチにつながるパネル数が多い場合は、遮断時の電力ロスが大きくなり好ましくない。
更にパワーコンディショナから外部の電力系統に接続している場合には電力系統に大きな影響を与えることになるため好ましくない。
【０００３】
したがって太陽電池パネル毎、あるいは少数のパネル群毎に、当該部分のみ電流を遮断できることが好ましい。しかも工事作業者の安全のためには、本人が工事対象となる当該太陽電池パネル群に対し確実に電流遮断を行うことができ、かつ電流が遮断された状態であることが確認でき、工事終了後は作業者本人が復帰させることができることが望ましい。本用途の電気回路の遮断作業は年間に数回程度があるか無いかが普通であり、スイッチの開閉寿命が１００回程度あれば実用的であり、むしろ多数個のスイッチを太陽電池パネルの近傍に設置しておけることが望ましく、安価なものが望まれる。
【０００４】
しかし、太陽電池モジュールからの電流は高電圧の直流であり、スイッチは開閉時のアークによる接点損傷により実用的な耐久性を確保することが難しい。            
太陽電池システムに使用するには、実用上１０Ａの電流で１０００Ｖの高電圧回路において１００回程度の開閉を安全確実に行うことができる安価なスイッチであることが望まれる。
【０００５】
直流、かつ高電圧である電気回路の開閉用スイッチとしてはスライド操作部を一方の方向に移動させることにより、ボタンが押下され、磁石を組み合わせたスイッチが提案されている（特許文献１）。
【０００６】
しかしアークに対する対策が考慮されているが構造が複雑すぎるという問題がある。
【０００７】
更に、直流、かつ高電圧である電気回路の開閉をするためのスイッチとして磁石を組み合わせたスイッチが提案されている（特許文献２、特許文献３参照）。発生したアークを磁力で接点の外側に移動させてすばやく消去する。しかしながら、上記スイッチでは、アークを吹き飛ばすための磁石を要するため構造が猶も複雑であるという問題がある。
【０００８】
したがって太陽電池システム用の直流１０００Ｖ以下で１０Ａ程度までの電流回路の開閉に使用できる好適な、簡易で安価なスイッチが求められている。
【先行技術文献】
【特許文献】
【０００９】
【特許文献１】特開２０１２−１０４４４８号公報
【特許文献２】特開２０１３−０４１６９０号公報
【特許文献３】特開２０１３−０４１６９１号公報
【発明の概要】
【発明が解決しようとする課題】
【００１０】
本発明は、上記現状に鑑み、高電圧の直流の電気回路の開閉を行うのに好適な簡易で安価なスイッチ構造およびスイッチを提供することを目的とする。
【課題を解決するための手段】
【００１１】
請求項１記載の発明は、
表面に異なる導電特性を示す領域を有するスライド板と、スライド板の前記表面に接する少なくとも一の主電極接点を有し、前記一の主電極接点と前記スライド板の表面とが、スライド板の表面の面内をスライド板の表面の面に平行に相対的にスライド移動が可能にされており、前記一の主電極接点がスライド板の表面の導電性の無い絶縁部に接する時は電流が遮断し、前記一の主電極接点がスライド板の表面の導電性を有する導電部に接する時は電流が通電する電気回路の開閉を行うスイッチ構造であって、
前記一の主電極接点に対し前記スライド板の移動方向に距離を隔てた一の補助電極接点が前記スライド板表面に接するようにされており、前記一の主電極接点と前記一の補助電極接点とが電気的に導通するようにされていることを特徴とする電気回路の開閉を行うスイッチ構造である。
【００１２】
請求項２記載の発明は、
先端に主陰電極接点を有する導電性の主陰電極板と、先端に主陽電極接点を有する導電性の主陽電極板にてなる一対の主電極板が一定の距離を隔てて対向して設けられており、前記電極板に対し相対的にスライド移動することが可能なスライド板が設けられており、前記主陰電極接点と前記主陽電極接点がスライド板表面に接するようにされており、スライド板の表面には導電性の異なる領域が設けられており、スライド板がスライドされた位置により、主陰電極接点及び主陽電極接点に接するスライド板の表面が導電性を有する導電性部分である場合には主陰電極板と主陽電極板間がスライド板の表面の導電部を介して通電し、主陰電極接点と主陽電極接点に接するスライド板の表面が絶縁性部分である場合には通電しない、電気回路の開閉を行うスイッチ構造であって、
前記主電極板に平行な一又は複数の補助電極板対が前記主電極板に間隔を隔てて設けられており、導電性の補助陰電極板の先端には補助陰電極接点、導電性の補助陽電極板の先端には補助陽電極接点が設けられており、補助陰電極接点と補助陽電極接点とがスライド板表面に接するようにされており、主陰電極板と補助陰電極板とが電気的に導通しており、主陽電極板と補助陽電極板とが電気的に導通していることを特徴とする電気回路の開閉を行うスイッチ構造である。
【００１３】
請求項３記載の発明は、補助電極板の補助陰電極接点は、スライド板のスライド方向に垂直な方向において他の陰電極接点と位置が異なり、かつ補助陽電極接点はスライド板のスライド方向に垂直な方向において他の陽電極接点と位置が異なる請求項１又は２に記載の電気回路の開閉を行うスイッチ構造である。
【００１４】
請求項４記載の発明は、スライド板の表面と裏面に導電性の異なる領域が設けられており、導電性部分と絶縁性部分がスライド板のスライド方向に略直交する境界により区分けされて形成されており、陰電極接点及び／又は陽電極接点がスライド板の両面に設置されている請求項１乃至３に記載の電気回路の開閉を行うスイッチ構造である。
【００１５】
請求項５記載の発明は、スライド板の表面の導電性部分と絶縁性部分の間に体積固有抵抗が１０-１〜１０８Ω・ｃｍで不燃性の材質にてなる中間帯が設けられていることを特徴とする請求項１乃至４のいずれかに記載の電気回路の開閉を行うスイッチ構造である。
【００１６】
請求項６記載の発明は、陰電極板と陽電極板に流れる電流が直流電流である請求項１乃至５のいずれかに記載のスイッチ構造を有する電気回路の開閉を行うスイッチであって、筐体の内部に前記スライド板が、筐体内をスライド可能に収蔵され、筐体のスライド方向には、一対のキャップがそれぞれ筐体と摺動可能に取り付けられ、かつそれぞれのキャップはスライド板のスライド方向の端部と機械的に接続されており、
筐体には、陰極電力ケーブルと陽極電力ケーブルとがそれぞれ挿通される孔が開けられており、スライド板がスライドする方向と略直交する方向に主電極板対と補助電極板対が延在するように筐体に取り付けられ、前記主陰極板と補助陰極板とが前記陰極電力ケーブルと導通され、前記陽陰極板と補助陽極板とが前記陽極電力ケーブルと導通されていることを特徴とする電気回路の開閉を行うスイッチである。
【００１７】
請求項７記載の発明は、直流電流が太陽電力電池パネルで発電された直流電流である請求項６に記載の電気回路の開閉を行うスイッチである
【００１８】
請求項８記載の発明は、電圧が１０００Ｖ以下である請求項６又は７に記載の電気回路の開閉を行うスイッチである。
【発明の効果】
【００１９】
請求項１に記載のスイッチ構造によれば、導電部と絶縁部が同一スライド板の表面上に設けられているので、相対的に電極接点とスライド板をスライドさせることにより回路のオン・オフの切り替えが容易にでき、アークに対しては、スライド板を電極接点がスライド板の表面に接した状態で移動させる仕組みのため、接点が受け器と垂直方向に着脱する従来の接点開閉式のスイッチに比べ電流遮断時のアークの発生を大幅に抑えることができ、かつ主電極と導通する補助電極を有するため位相差効果によりアークによる電極及び又はスライド板の接触面の損傷が補助電極及び又はスライド板の電極部近傍に限られるので補助電極及び又はその近傍が破損されるまでは主電極及び又はその近傍のスライド板が破損されないので実用的な開閉回数の寿命が確保でき、構造が簡易で安価に製造できる。
【００２０】
請求項２に記載のスイッチ構造によれば、導電面と絶縁面が同一平面上に境界を設けられたスライド板をスライドさせることにより回路のオン・オフの切り替えが容易にでき、アークに対しては、スライド板を電極に対し平面方向に移動させる仕組みのため、接点開閉式のスイッチに比べ電流遮断時のアークの発生を大幅に抑えることができ、かつ主電極と導通する補助電極を有するため位相差効果によりアークによる電極及び又はスライド板の接触面の損傷が補助電極及び又はスライド板の電極部近傍に限られるので補助電極及び又はその近傍が破損されるまでは主電極及び又はその近傍のスライド板が破損されないので実用的な開閉回数の寿命が確保でき、構造が簡易で安価に製造できる。左右対象のため製造が簡易である。
【００２１】
請求項３に記載のスイッチ構造によれば、主電極と補助電極がスライド方向に直交する方向において異なる位置に設けられているので、アークによるスライド板の接触面の破損箇所がスライド方向と直交する方向の電極部近傍だけに誘導されるので主電極及び又はその近傍のスライド板接触面が破損されず保護されるので、より多い開閉回数が得られる。
【００２２】
請求項４に記載のスイッチ構造によれば、スライド板の表面と裏面に導電部と絶縁部がスライド板をスライド板のスライド方向に対し周回して形成されており、各陰電極接点および陽電極接点がスライド板の両面に設置されているので、電極当たりの電流が分散されることにより、アークによる損傷度合いをより軽減させることにより、より耐用回数が高められる。
【００２３】
請求項５に記載のスイッチ構造によれば、スライド板の表面の導電部と絶縁部との間に体積固有抵抗が１０-１〜１０８Ω・ｃｍで不燃性の材質にてなる中間帯が設けられているので、スイッチ動作の際に、特に、通電から遮断動作の際により有効にアークによる損傷を軽減させることができ、耐用回数がより高められる。
【００２４】
請求項６に記載のスイッチによれば、アークの発生を抑え、アークによる損傷に対する必要寿命が確保されるよう考慮されているため、太陽電池システム内の開閉スイッチとして有効に用いることができる。
【００２５】
請求項７に記載のスイッチによれば、太陽電池パネルで発電された直流電流の開閉スイッチとして、太陽電池発電システムのパネル毎又はパネル群毎の補修用スイッチとして簡易安価に使用できる。
【００２６】
請求項８に記載のスイッチによれば、アークによる損傷に対する寿命が長いように考慮されているため、電気回路の電圧が０Ｖ以上１０００Ｖ以下で使用でき、大型の太陽電池発電システムのパネル毎又はパネル群毎の補修用スイッチとして簡易安価に使用できる。
【図面の簡単な説明】
【００２７】
【図１】実施例１のスイッチ構造の要部の通電状態を示す図である。図１（ａ）は要部の正面図である。図１（ｂ）は要部の右側面図である。図１（ｃ）は要部の平面図である。
【図２】実施例１のスイッチ構造の要部の通電状態であって遮断に至る途中過程を表す図である。図２（ａ）は要部の正面図、図２（ｂ）は右側面図である。
【図３】実施例１のスイッチ構造の要部の遮断時を示すである。図３（ａ）は要部の正面図である。図３（ｂ）は要部の右側面図である。
【図４】実施例２のスイッチ構造の要部の通電状態を示す図である。図４（ａ）は要部の正面図である。図４（ｂ）は要部の右側面図である。
【図５】実施例２のスイッチ構造の要部の通電状態から遮断状態に遷移する途中の状態を示す図である。図５（ａ）は要部の正面図である。図５（ｂ）は要部の右側面図である。
【図６】実施例２のスイッチ構造の要部の通電状態から遮断状態に遷移する途中の遮断に近い状態を示す図である。図６（ａ）は要部の正面図である。図６（ｂ）は要部の右側面図である。
【図７】実施例２のスイッチ構造の要部の遮断状態を示す図である。図７（ａ）は要部の正面図である。図７（ｂ）は要部の右側面図である。
【図８】実施例３のスイッチ構造の要部の通電状態を示す図である。図８（ａ）は要部の正面図である。図８（ｂ）は要部の左側面図である。図８（ｃ）は要部の平面図である。
【図９】実施例４のスイッチ構造の要部の通電状態を示す正面図である。
【図１０】実施例５のスイッチ構造の要部の通電状態を示す正面図である。
【図１１】実施例６のスイッチの通電状態を表す図である。図１１（ａ）は通電状態におけるスイッチの正面図である。内部のスイッチ構造の状態が分かるように筐体の外側面の中央部を切り欠いて示している。図１１（ｂ）は右側面図である。図１１（ｃ）は矢視平面図であって、図１１（ａ）の正面図のＸ、Ｘ'方向から見た場合の矢視した図である。
【図１２】実施例６のスイッチの遮断状態を表す図である。図１２（ａ）は遮断状態におけるスイッチの正面図である。内部のスイッチ構造の状態が分かるように筐体の外側面の中央部を切り欠いて示している。図１２（ｂ）は右側面図である。
【図１３】実施例６のスイッチの太陽電池発電システムにおける使用例を示す模式図である。
【発明を実施するための形態】
【実施例１】
【００２８】
図１（ａ）は、実施例１のスイッチ構造の通電状態の要部１０１を示す正面図である。要部１０１は筐体１（図示せず）中に格納されている。図１（ｂ）は要部の右側面図である。図１（ｃ）は要部の図１（ａ）の補助電極４０、５０よりも下側から見たスライド板の模式平面図である。スライド板１０は図１（ａ）、図２（ａ）、図３（ａ）中矢印で示すように図１の上下方向にスイッチの中をスライドできるようになっている。
【００２９】
スイッチ構造は、どのように用いられてもよく、スイッチボックス等に設置されてもよい。しかし野外等で用いられる場合においては、一般に、筐体内、または筐体とキャップ等内に設置されたスイッチとして用いられることが好ましく、スイッチは水密構造であることが好ましい。例えば筐体とキャップの組み合わせにてなるスイッチとして用いる場合、筐体１にキャップ２及びキャップ３を組み合わせにて用いてもよい。筐体とキャップは耐侯性、耐熱性、絶縁性、難燃性に優れた材料であることが好ましく、成形性も考慮すると例えば変成ノリル樹脂のような樹脂製であることが好ましい。キャップ２、キャップ３はスライド板１０をスライド操作させるために、着脱自由にされていてもよいが、キャップ２、キャップ３と筐体１の間は内部への水の侵入を防ぐためオーリング等による水の侵入封止機構が設けられていることが好ましい。
又、水密のため、スライド板を外部より磁石等でスライドするようにしてもよい。スライド板１０の位置が外部から目視で分かる様に及び又はアークによる損傷の状態が分かる様に、筐体またはキャップの少なくとも一部が透明であることが好ましい。
【００３０】
電極接点と前記スライド板の表面とが、スライド板の表面の面内をスライド板の表面の面に平行に相対的にスライド移動が可能にされている。スライドする方向はスライド板の表面を形成する面内であれば限られない。回転すると回転機構が複雑になるが、並進運動であれば構造が簡単であり、特に直線方向に往復するものが好ましい。
スライド板１０は平担な平面状、蒲鉾板様の二次元凸面状、逆に二次元凹面状であってもよいが、平面が好ましい。
スライド板１０の表面は異なる導電特性を示す領域を有しており、導電性を有する導電部と導電性を有さない絶縁部が同一スライド板の表面上に設けられているので、同一平面上で電気絶縁部材で構成される絶縁部１１と導電性部材で構成される導電部１２とに境界１３にて少なくともスライド方向に区分されている。スライド板の材質は樹脂、セラミック等の絶縁性、耐熱性、難燃性、特にアークによる損傷に耐えられるものが好ましく、不燃性、耐熱性からセラミックであることが特に好ましい。絶縁部１１と導電部１２はスライド板の幅方向、スライド方向とは異なる方向全体に広がっている必要はなく、スライド板のスライドにより電極接点が絶縁部１１と導電部１２とをどちらも接しうる範囲を領域とするものでもよい。
絶縁面１１はスライド板１０と一体に形成されていてもよく、例えば樹脂製の場合においてはスライド板１０上に更に耐アーク性に優れたセラミック板が積層等、できるだけ段差なく、されていることが好ましい。
【００３１】
スライド板１０の表面には導電部１２が形成されている。導電部１２の形成には導電性物質製の板が絶縁板と突き合わせに接続されて一体にされてスライド板１０を形成していてもよく、絶縁板の表面に導電性物質製の板、薄板、薄層が積層されていてもよい。耐アーク損傷性が高い、銅合金板、ニッケル合金板、ステンレス板等の導電層が形成されていることが好ましい。
【００３２】
絶縁部１１と導電部１２との境界１３は後述する主電極板の延在方向、すなわち、長手方向、に略平行であることが好ましい。主電極板の長手方向はスライド方向に略垂直であることが装置のコンパクト化上好ましく、このため境界線１３はスライド方向と略垂直であることが好ましい。したがって絶縁部１１と導電部１２との境界１３はスライド方向と垂直であることが好ましい。
又、アークの発生を抑止するために、絶縁部１１と導電部１２は境界１３において高さの差、即ち段差が無い（面一（つらいち）である）ことが好ましい。
【００３３】
スライド板１０の表裏両面に絶縁部１１と導電部１２が境界１３にて区分されて形成されていてもよい。境界１３はスライド板１０の裏面を回り込んでスライド板１０を一周するものであってもよい。
スライド板の両面に電極板を接して設ければ、電流を分散できるので耐大電流性が向上、また耐アーク破損性が向上するからである。また、信頼性が向上するからである。
更にいえば、スライド板が、厚くスライド柱として表面、裏面のみならずその側面にも電極板を接して設けるものであってもよい。電流並びにアークによる損傷箇所が分散され信頼性が向上するから寿命向上に寄与するからである。
【００３４】
尚、スライド板表面の導電部と絶縁部の間には、導電性すなわち電気伝導度が連続して減少するように傾斜して設けられていてもよく、電気伝導度が互いの中間的値である一又は複数の中間帯を電気伝導度が単調減少するようにステップ的に設けられていてもよい。中間帯と絶縁部、あるいは中間帯と導電部とは境界において表面の高さの差、即ち段差が無い（面一（つらいち）である）ことが好ましい。一段の中間帯であれば構成する材質の電気伝導度は体積固有抵抗が１０-１〜１０8Ω・ｃｍであることが好ましい。スイッチ動作の際に、特に、通電から遮断動作の際に、より有効にアークによる損傷度合いをより軽減させることができ、より耐用回数が高められるためである。中間帯を構成する材料は、アークによる損傷にて燃焼または変形、劣化しないために、不燃性でかつ耐熱性の高いセラミックが好ましい。
そのような導電性セラミックとしては特に限定されないが、導電性ジルコニアセラミックス、導電性炭化ケイ素、アスザック株式会社の「コルシード」、ＳｉＡｌＯＮ、ＴｉＢ２、等の導電性を有するものや、導電性材質により表面が被覆されたセラミックスが例示される。
【００３５】
本スイッチ構造では、電気回路の開閉を、スライド板をスライドさせることにより、スライド板表面に接触している電極がスライド板表面の導電部に接してるか、絶縁部に接しているか、あるいは、電気抵抗が両者の間にある中間帯に接しているかを操作することにより開閉操作を行う。
したがって、表面に異なる導電特性を示す絶縁部と導電部の領域を有するスライド板と、スライド板の前記表面に接する少なくとも一の主電極接点を有し、前記一の主電極接点と前記スライド板の表面とが、スライド板の表面の面内をスライド板の表面の面に平行に相対的にスライド移動が可能にされており、前記一の主電極接点がスライド板の表面の絶縁部に接する時は電流が遮断し、前記一の主電極接点がスライド板の表面の導電部に接する時は電流が通電する電気回路の開閉を行うスイッチ構造であって、前記一の主電極接点に対し前記スライド板の移動方向に距離を隔てた一の補助電極接点が前記スライド板表面に接するようにされており、前記一の主電極接点と前記一の補助電極接点とが電気的に導通するようにされていることを特徴とする電気回路の開閉を行うスイッチ構造である。
【００３６】
一の主電極接点を介した電流は、スライド板の導電部を介して流れる。一の主電極接点は一の電力ケーブルと電気接続されており、スライド板を介して、スライド板に接する他の電極接点を介して他の電力ケーブルに電気接続され、あるいは、他の電極接点は介さずにスライド板の導電部から直接他の電力ケーブルに電気接続される。
一の電極接点が接するスライド板の表面が導電性が無ければ両電力ケーブル間に電流は流れない。
前記一の主電極接点に対し前記スライド板の移動方向に距離を隔てた一の補助電極接点が前記スライド板表面に接するようにされており、前記一の主電極接点と前記一の補助電極接点とが電気的に導通するようにされている。
【００３７】
実施例１では図１のように、主電極接点、補助電極接点がそれぞれ、陰極側、陽極側に設けられている。スライド板にはスライド方向と直交方向に導電部１２と絶縁部１１との境界１３が設けられている。
陰電極板２０と陽電極板３０にてなる主電極板が対をなして先端が一定の距離を隔てて、対向して配置され、それぞれが、筐体１の一部に（図示せず）にそれぞれの先端裏面の陰電極接点２１、陽電極接点３１がスライド板１０の表面に一定の力で押しつけられるように付勢されて固定されている。付勢するのは電極接点が確実にスライド板１０の表面に確実に接触させるためである。陰電極板２０と陽電極板３０は導電性を有する。また電極板は弾力性のある板でできていることが好ましい。陰電極板２０と陽電極板３０にてなる主電極板は一直線上にあってもよく、一定の狭角をなしていてもよい。スイッチは安価であることが好ましいため、コンパクト化することが好ましい。また、形状、配置対称であれば製造しやすい。
このため、それぞれの先端裏面の陰電極接点２１、陽電極接点３１がスライド板１０のスライド方向に対し同じ位置（図１（ａ）における同じ高さ）にあることが好ましい。
又、主陰電極板２０先端裏面の主陰電極接点２１と、主陽電極板３０の先端裏面の主陽電極接点３１とを結ぶ方向は、スライド板１０のスライド方向と略垂直であることが好ましいい。略垂直とはできるだけ９０度であることが好ましく、少なくとも７０度から１１０度の範囲内であることが好ましい。
【００３８】
陰電極板４０と陽電極板５０にてなる補助電極板が、主電極板に対し、スライド板１０の移動方向に距離（ｈ）を隔てて、対をなして先端が一定の距離を隔てて、対向して配置されている。その延在方向がそれぞれの主電極板の延在方向と平行に配置されていることが好ましい。それぞれが、筐体１（図示せず）にそれぞれの先端裏面の陰電極接点４１、陽電極接点５１がスライド板１０の表面に一定の力で押しつけられるように付勢されて固定されている。陰電極板４０と陽電極板５０は導電性の弾力性のある導電板でできている。補助陰電極板４０の先端裏面の補助陰電極接点４１と、補助陽電極板５０の先端裏面の補助陽電極接点５１とを結ぶ方向は、スライド板１０のスライド方向と垂直であることが好ましい。
それぞれの先端裏面の陰電極接点４１、陽電極接点５１がスライド板１０のスライド方向に対し同じ位置（図１（ａ）における同じ高さ）にあることが好ましい。
補助電極板が設けられているのはスライド板のスライドに要する時間差、距離ｈ分をスライドさせるに要する時間の遅れ、すなわち位相差を設けることにより、結果的に主電極板の損傷を遅らせるためであり、補助電極板側にアークの発生箇所を誘導して破損箇所を分散しすることにより主電極側の破損を遅らせスイッチの寿命を増すためである。
【００３９】
主陰電極板２０と補助陰電極板４０とは電気的に導通されており、この結果主陰電極接点２１と補助陰電極接点４１とは電気的に導通されている。主陰電極板２０と補助陰電極板４０とは一枚の板から分岐したものであってもよい。
同様に、主陽電極板３０と補助陽電極板５０とは電気的に導通されており、この結果陽電極接点３１と陽電極接点５１とは電気的に導通されている。したがって主陽電極板３０と補助陽電極板５０とは一枚の板から分岐したものであってもよい。
主陰電極板２０と補助陰電極板４０は一の電力ケーブル（陰極電力ケーブル）の導線に電気的に接続され、主陽電極板３０と補助陽電極板５０とは他の電力ケーブル（陽極電力ケーブル）の導線に電気的に接続されている。ここでは便宜上陰極電力ケーブルとは、本スイッチの陰電極側に接続する電力を送電するための電力送電用ケーブルをいい、陽極電力ケーブルとは、陽電極側に接続する電力を送電するための電力送電用ケーブルをいう。
したがって外部のそれぞれの電力ケーブルを介して太陽電池パネル又は接続箱等に繋がるように電気接続されている。
【００４０】
各電極接点は半球形状ないし曲率半径の大きな凸面、例えば球面形状状をしている。スライド板１０の表面との接触を確実に行うためである。
各電極接点の、スライド板１０のスライド方向と直交方向の位置はそれぞれ異とする様にされ、重ならないようにされている。例えば電極接点３１と電極接点５１とは（ｌ）の距離隔てられ、すなわち、保護段差が設けられている。スライド板及び／又は電極に対するアークによる損傷を分散しスイッチの寿命を増すことができるためである。
【００４１】
尚、本実施例では補助電極板４０、５０は１対であったが、その下（図１の正面図において）方向に更に補助電極板４０、５０の延方向と平行に一定の距離を隔てて一の補助電極板が又は複数対の補助電極板が設けられていてもよい。位相差によりアークによる損傷部が分散するので寿命が一層長くなるからである。その場合補助電極接点のスライド板のスライド方向と垂直方向の位置はそれぞれずらし保護段差を設けるのが好ましい。アークによる損傷部が分散するので寿命が一層長くなるからである。
【００４２】
図１は通電状態を示す図であるが、図２は遮断状態に至る途中状態を示し、図３は遮断状態を示す。図１の状態から図３の状態へはスライド板を押し下げるだけであり短時間に行われる。
【００４３】
図２（ａ）はスライド板を下にスライドすることによりスライド板表面の絶縁部１１と導電部１２の境界１３が主電極板と補助電極板間に位置する状態の実施例１のスイッチの要部を示す正面図である。図２（ｂ）は右側面図である。
【００４４】
図１から図２に至るまでの間に、スライド板１０が下にスライドされて、主電極板の陰電極接点２１、陽電極接点３１が導電部１２から絶縁部１１に接するようになるため、本来この時点でアークが発生するが、補助陰電極接点４１、補助陽電極接点５１がいまだにスライド板の導電部１２に接して通電しているため、電流は補助陰電極板４０、補助陰電極接点４１、スライド板表面の通電部１２、補助陽電極接点５１、補助陽電極板５０を通じて流れ続けており、主電極板の陰電極接点２１、陽電極接点３１にはアークは発生しない。したがって図２の状態では未だ通電中である。
【００４５】
図２から図３へ遷移する過程においては、補助陰電極接点４１、補助陽電極接点５１をスライド板の通電部１２と絶縁部１１との境界１３が通過する。この時補助陰電極接点４１、スライド板の導電部１２、補助陽電極接点５１を介して流れる電流が遮断されていくことになる。この際補助陰電極接点４１、補助陽電極接点５１の近傍にアークが発生するが、補助電極接点４１、５１はスライド面に接したままであるので、アークの発生が抑えられ、補助電極接点４１、５１及び／又はその接するスライド板１０の接点部分近傍のダメージが抑制できる。
また繰り返し遮断操作を行っても、補助電極接点４１、５１が消耗されるまで主電極接点２１、３１、及び／又はその接するスライド板１０の接点部分近傍のダメージを受けない。
平面接触、位相差、によりスイッチの寿命を延ばすことができ、更に保護段差を組み合わせることによりアークによる破損領域を分散することができるため一層寿命を延ばすことができる。
【００４６】
図３では、補助陰電極接点４１、補助陽電極接点５１もスライド板の絶縁部１１に接しておりこの時補助陰電極接点４１、スライド板の導電部１２、補助陽電極接点５１を介して流れる電流も遮断されおり、主電極板、補助電極板共に通電せず、電流の遮断状態にある。
このように、本スイッチにおいてはスライド板をスライド移動させるだけで簡易に通電状態から遮断状態に変えることができる。
【００４７】
この遮断状態でスライド板が移動しないように仮固定すれば、補修、点検等の工事を安全にすることができる。本体又はキャップの一部が透明であれば、外から見てスライド板の位置がわかるので安全である。
【００４８】
工事が終了すれば、工事者は、スライド板１０を上にスライドさせて図１の状態に戻し、キャップを閉じる。これで通常状態である通電状態に戻すことができ、通電回復操作はスライド板をスライド操作するだけであり簡易である。  
【００４９】
通電回復過程において、図３の状態から図２の状態までスライド板１０を上にスライドさせて補助陰電極接点４１、補助陽電極接点５１に境界１３が接近する。通電回復過程においては遮断時に比較してアークの発生は微少であるが、補助陰電極接点４１、補助陽電極接点５１が先に接続され通電状態になるため、本電極の接面時にはアークは発生しない。補助陰電極接点４１、補助陽電極接点５１の接触面はアークによる損傷により接触抵抗値は増加してくるがスイッチの切り替え途中の短時間内だけである。
その後、補助陰電極接点４１、補助陽電極接点５１を境界１３が通過して安定した電流が流れるようになると、通電状態になる。
【００５０】
更にスライド板１０を上にスライドさせると図１の状態に戻り、主陰電極板２０と主陽電極板３０にてなる主電極板間及び補助陰電極板４０と補助陽電極板５０間においてもスライド板１０の導電部１２に接するため導通接面状態になり接触抵抗は正常に戻り安定した通電状態になる。
この状態でスライド板の位置を固定し通電状態を維持することができる。
【実施例２】
【００５１】
実施例２のスイッチ構造は、実施例１において、スライド板１０の表面が導電部１２と絶縁部１１であったのに替えて、スライド板１０の表裏両面に導電部１２と絶縁部１１を設け更にその間に電気伝導度が導電部と絶縁部の中間的値である中間帯１４を新たに設けたこと以外は実施例１と同様のスイッチ構造である。
【００５２】
以下実施例２につき説明する。図４は通電状態を示す図であるが、図５・図６は通電状態から遮断状態に至る途中状態を示し、図７は遮断状態を示す。図４の状態から図７の状態へはスライド板を押し下げる短時間の操作で行われる。
【００５３】
図４は実施例２のスイッチ構造の要部の通電状態を示す図である。図４（ａ）は要部の正面図である。図４（ｂ）は要部の右側面図である。図４（ｃ）はＹ−Ｙ'方向から見た要部の矢視平面図である。スライド板の通電状態から遮断状態へのスライド方向は、図５〜図７中に示す矢印の方向である。
スライド板の表面の絶縁部１１に接する中間帯１４が絶縁部と中間帯との境界すなわち絶縁部／中間帯境界１５を介して存在し、中間帯１４は中間帯と導電部との境界すなわち中間帯／導電部境界１６を介して導電部１２に接している。
【００５４】
絶縁部と中間帯との境界すなわち絶縁部／中間帯境界１５と、中間帯と導電部との境界すなわち中間帯／導電部境界１６との間の距離、すなわち中間帯のスライド方向における間隔は限られないが、スイッチをコンパクトにするためには主電極２０、３０と補助電極４０、５０との間のスライド板１０のスライド方向における間隔程度があることが好ましい。
両境界はそれぞれ絶縁部、導電部の表面と段差なく（面一の状態で）形成されている。
導電性セラミックスとして、体積固有抵抗が１Ω・ｃｍであるアスザック株式会社製「コルシード」を用いた。
【００５５】
尚  図４（ｃ）に示す様にスライド板１０の表側と裏側の両面に絶縁部１１，１１'、中間帯１４、１４'、導電部１２、１２'が形成されており、主電極２０、３０、補助電極４０、５０がスライド板１０の表側の面に接し、主電極２０'、３０'、補助電極４０'、５０'がスライド板１０の裏側の面に接するようになっている。
【００５６】
本例ではスライド板の表側面と裏側面の同じ高さ（図４におけるスライド板の移動方向における位置）にそれぞれ境界１５と１５'が設けられ、同様に同じ高さ（図４におけるスライド板の移動方向における位置）に境界１６と１６'が設けられ、又電極も２０と２０'、４０と４０'、３０と３０'、５０と５０'がスライド板の表側と裏側で同じ高さに配置されている。スライド板の表側、裏側の材質は同じである。
【００５７】
図５は遮断状態に至る途中状態を示す。図５（ａ）はスライド板を下にスライドすることによりスライド板表面の導電部１２と中間帯１４の境界１６が主電極板と補助電極板の間に位置する状態の実施例２のスイッチの要部を示す正面図である。図５（ｂ）は右側面図である。図５（ａ）中の下向きの矢印は通電状態から遮断状態に至るまでのスライド板のスライド方向を表したものである。
【００５８】
図４の状態からから図５の状態に至るまでの間に、スライド板１０が下にスライドされて、主電極板の陰電極接点２１、２１'、陽電極接点３１、３１'が導電部１２、１２'から中間帯１４、１４'に接するため、主電極を通じて流れる電気抵抗が上がりこの時点でアークが発生するおそれがあるが、補助陰電極接点４１、４１'補助陽電極接点５１、５１'がいまだにスライド板の導電部１２、１２'に接して通電しているため、電流は補助陰電極板４０、４０'、スライド板表面の導電部１２、１２'補助陽電極接点５１、５１'補助陽電極板５０、５０'を通じて流れ続けており、主電極板を通じる電流は小さくなり、陰電極接点２１、２１'陽電極接点３１、３１'の近傍にはアークは発生しない。
図５の状態では主電極は中間帯１４に接するため電気抵抗が大きくなり僅かに通電しているが補助電極は導電部１２と接しているため主に補助電極を介した通電が行われており図５の状態は未だ通電中である。
【００５９】
図６（ａ）中の下向きの矢印は通電状態から遮断状態に至るまでのスライド板のスライド方向を表したものである。
図５の状態から図６の状態に遷移する過程においては、主電極板の陰電極接点２１、２１'陽電極接点３１，３１'は中間帯１４，１４'と絶縁部１１、１１'との境界１５，１５'を超えて絶縁部１１、１１'に接するようになり、一方補助陰電極接点４１、４１'補助陽電極接点５１，５１'はスライド板の導電部１２，１２'と中間帯１４、１４'との境界１６，１６'を通過して中間帯１４，１４'に接するようになる。この時補助陰電極接点４１、４１'、スライド板の通電部１２，１２'、補助陽電極接点５１、５１'を介して流れる電流は、中間帯１４、１４'は電気抵抗が大きいため小さくなるが、猶一部通電する。
【００６０】
主電極板には既に小電流しか流れていなかったため、主電極板の陰電極接点２１、２１'、陽電極接点３１，３１'にはアークは発生しない。一方補助陰電極接点４１、４１'補助陽電極接点５１，５１'の近傍にアークが発生するおそれがないとまではいえないが、補助電極接点４１、４１'、５１，５１'はスライド面に接したままの摺動動作であるので、面から垂直方向に電極を離れさせるのに比しアークの発生が抑えられ、補助電極接点４１、４１'５１、５１'及び／又はその接するスライド板１０の接点部分近傍のダメージが抑制できる。
また繰り返し遮断操作を行っても、補助電極接点４１、４１'、５１，５１'が消耗されるまで主電極接点２１、２１'、３１，３１'、及び／又はその接するスライド板１０の接点部分近傍のダメージを受けない。
【００６１】
図７では、補助陰電極接点４１、４１'、補助陽電極接点５１、５１'もスライド板の絶縁部１１，１１'に接しておりこの時補助陰電極接点４１、４１'スライド板の導電部１２、１２'、補助陽電極接点５１，５１'を介して流れる電流は遮断されおり、主電極板、補助電極板共に通電せず、電流の遮断状態にある。図７（ａ）中の下向きの矢印は通電状態から遮断状態に至るまでのスライド板のスライド方向を模式的に表したものである。
【００６２】
図６の状態から図７の状態遷移する過程においては、補助陰電極接点４１、４１'補助陽電極接点５１，５１'はスライド板の中間帯１４，１４'と絶縁部１１，１１'との境界１５，１５'を通過して絶縁部１１，１１'に接するようになる。この時補助陰電極接点４１、４１'スライド板の通電部１２、１２'補助陽電極接点５１、５１'を介して流れる電流は、既に中間帯１４、１４'を介して流れており中間帯１４，１４'は電気抵抗が導電部に比し比較的大きいため通電電流が小さくなっているため、遮断時の電流は中間帯の抵抗分減少しておりアークの発生が抑えられる。したがって遮断時に、補助陰電極接点４１、４１'補助陽電極接点５１，５１'の近傍にアークが発生するおそれがないとまではいえないが、アークの発生は抑えられ、補助電極接点４１、４１'５１，５１'及び／又はその接するスライド板１０の接点部分近傍の表面のダメージがより抑制できる。
また繰り返し遮断操作を行っても、補助電極接点４１、４１'、５１、５１'が消耗されるまで主電極接点２１、２１'、３１、３１'及び／又はその接するスライド板１０の接点部分近傍の表面にダメージを受けない。
【００６３】
電極はスライド板の表面と同一平面で接触しスライド板表面上を摺動するだけであり、浮くことがないのでアークの発生が抑えられる。
主電極に対し補助電極を設ける位相差、によりスイッチの寿命を延ばすことができ、更に保護段差を組み合わせることによりアークによる破損領域を分散するができるため一層寿命を延ばすことができる。更に中間帯を設けているので遮断時の電流は中間帯の抵抗分減少しておりアークの発生が抑えられる。
スライド板の両面に電極を接する両面タイプのため、電流が分散され、損傷も分散されるため、より信頼性を上げることができる。
このように、本スイッチ構造においてはスライド板をスライド移動させるだけで簡易に通電状態から遮断状態に変えることができる。
【００６４】
この遮断状態でスライド板が移動しないように仮固定すれば、補修、点検等の工事を安全にすることができる。本体又はキャップの一部が透明であれば、外から見てスライド板の位置がわかるので安全である。
【００６５】
工事が終了すれば、工事者は、スライド板１０を上にスライドさせて迅速に図４の状態に戻す。これで通常状態である通電状態に戻すことができ、通電回復操作はスライド板をスライド操作するだけであり簡易である。
【００６６】
通電回復過程において、図７の状態から図６の状態までスライド板１０を上にスライドさせると補助陰電極接点４１、４１'補助陽電極接点５１、５１'が絶縁部１１、１１'と中間帯１４、１４'との境界１５、１５'に接近し、補助陰電極接点４１、４１'補助陽電極接点５１、５１'は境界１５、１５'を通過する。通電回復過程においては遮断時に比較してアークの発生は微少であるが、補助陰電極接点４１，４１'、補助陽電極接点５１、５１'が中間帯１４、１４'に接するため通電状態になる。ただ中間帯は電気抵抗が大きいため、補助電極を通じて流れる電流は小さく、アークは生じない。主電極接点２１、２１'、３１、３１'は未だ絶縁部に接しておらず主電極にアークは発生しない。
【００６７】
図６の状態から図５の状態までスライド板１０を上にスライドさせると、補助陰電極接点４１、４１'補助陽電極接点５１、５１'が中間帯１４、１４'と導電部１２、１２'との境界１６、１６'を越え、導電部１２、１２'に接触し、電流が流れる。通電回復過程においては遮断時に比較してアークの発生は微少である。一方主電極接点２１、２１'、３１、３１'は中間帯１４、１４'と接するようになるが中間帯は電気抵抗が大きいため、主電極を通じて流れる電流は小さく、アークは生じない。
【００６８】
図５の状態から図４の状態までスライド板１０を上にスライドさせると、補助陰電極接点４１、４１'補助陽電極接点５１、５１'が導電部１２、１２'に接して通電している状態で、主電極接点２１、２１'、３１、３１'は中間帯１４，１４'と導電部１２，１２'との境界１６，１６'を越えて導電部１２、１２'と接する様になる。このため主電極に大電流が流れるが既に補助電極に電流が流れているため、主電極にはアークは生じにくい。
図４の状態では、主電極接点２１、２１'、３１、３１'及び補助陰電極接点４１、４１'、５１、５１'が導電部１２、１２'と接しているため導通接面状態になり接触抵抗は正常に戻り安定した通電状態になる。
この状態でスライド板の位置を固定し通電状態を維持することができる。
【００６９】
実施例３のスイッチ構造の要部は図８に示す様に、スライド板の幅方向、すなわちスライド方向に直交する方向に絶縁部１１が、主陰電極接点２１と補助陰電極接点４１が接するスライド板の幅方向において１３、１３'、１３"で区画された領域に設けられ、陽電極は主陽電極板３０のみが設けられ補助陽電極板５０が無いということを除いては実施例１と同様である。一の主電極接点が主陰電極接点である場合である。図８は実施例３のスイッチ構造の要部の通電状態を示す図である。図８（ａ）は要部の正面図である。図８（ｂ）は要部の左側面図である。図８（ｃ）は図８（ａ）の補助電極４０よりも下側から見た要部の模式平面図である。図中矢印はスライド板１０のスライド方向を示す。
陰極側の主電極板２０と補助陰電極板４０の果たす役割は実施例１と同様、スライド板表面のスライドによる導電性の変化を反映して、導電と遮断を行うことであり、陽極側は、主陽電極板３０の主陽電極接点３１が常時、導電部１２に接しているため、遮断には陰極側の電極のみで行う事になる。陽電極側には補助陽電極板５０はあっても無かってもよい。陰極側と陽極側の配置と役割が逆であってもよい。
【００７０】
実施例４のスイッチ構造の要部は図９に示す様に、スライド板の幅方向、すなわちスライド方向に直交する方向に絶縁部１１が、主陰電極接点２１と補助陰電極接点４１が接する領域に設けられ、陽電極は主陽電極接点３１のみが設けられ、導電部１２と絶縁部１１の間に中間帯１４が設けてられていることを除いては実施例１と同様である。一の主電極接点が主陰電極接点である場合である。図９は実施例４のスイッチ構造の要部の通電状態を示す図である。図９は要部の正面図である。図中矢印はスライド板１０のスライド方向を示す。
陰極側の主陰電極板２０と補助陰電極板４０の果たす役割は実施例２と同様、スライド板表面のスライドによる導電性の変化を反映して、安定して導電と遮断を行うことであり、陽極側は、主陽電極板３０の主陽電極接点３１が常時導電部１２に接しているため、遮断には陰極側の電極のみで行う事になる。陽電極側には補助電極はあっても無くてもよい。陰極側と陽極側の配置と役割が逆であってもよい。
【００７１】
実施例５のスイッチ構造の要部は図１０に示す様に、スライド板の幅方向、すなわちスライド方向に直交する方向に絶縁部１１が、主陰電極接点２１と補助陰電極接点４１が接する領域に設けられ、スライド板に接する主陽電極板３０、補助陽電極板５０は無く、スライド板表面の導電部１２に他の電力ケーブルがスライド板のスライド動作可変に導電的に取り付けられていることを除いては実施例１と同様である。一の主電極接点が主陰電極接点である場合である。図１０は要部の正面図である。図中矢印はスライド板１０のスライド方向を示す。
陰極側の主陰電極板２０と補助陰電極板４０の果たす役割は実施例１と同様、スライド板表面のスライドによる導電性の変化を反映して、導電と遮断を行うことであり、陽極側は、スライド板の表面の導電部１２に陽極電力ケーブル６１がスライド板のスライド動作可変に導電的に取り付けられているため、主陽電極板３０も補助陽電極板５０も無い。開閉は陰極側の電極に接するスライド板の表面の導電性の変化のみで行う事になる。陰極側と陽極側の配置と役割が逆であってもよい。
【００７２】
実施例６は実施例２に示したスイッチ構造１０１を内部に有するスイッチである。図１１、図１２は実施例６のスイッチ１１１の模式図である。
図１１（ａ）は通電状態におけるスイッチの正面図である。内部のスイッチ構造が分かりやすいように筐体の正面側の中央部を切り欠いて内部が透視できているように表している。  図１１（ｂ）は右側面図である。図１１（ｃ）は図１１（ａ）の正面図のＸ−Ｘ'方向から見た場合の断面模式図である。図１１（ｃ）に示す様に、実施例２と同様にスライド板１０の表側面に主電極、補助電極が接し裏側面にも主電極、補助電極が接するようになっている。
尚、本実施例では電極板はスライド板に対し付勢し易い様に若干角度をつけ斜めにスライド板に押しつけられるようになっている。
【００７３】
筐体本体１０２は図１１（ａ）正面図に示す様に左右上下方向に展伸した概ね十字の形状になっている。上下方向の展伸部は断面円形の円筒状をしており、左右方向の展伸部は断面四角形の角柱状をしている。
図１１（ａ）正面図の左方向から、陰極電力ケーブル６０が挿通され筐体本体１０２の図１１（ａ）正面図の左方向の展伸部に水密的に固定され、ケーブル中の導線がスライド板１０の表側と裏側の主陰電極板対２０，２０'、補助陰電極板対４０、４０'に、導電的に接続されている。
同様に図１１（ａ）正面図の右方向から、陽極電力ケーブル６１が挿通され筐体本体１０２の図１１（ａ）正面図の右方向の展開部に水密的に固定されている。ケーブル中の導線がスライド板１０の表側と裏側の主陽電極板対３０、３０'、補助陽電極板対５０、５０'に導電的に接続されている。陰極電力ケーブル６０、陽極電力ケーブル６１は金属製導電線の芯を樹脂で被覆されている。水密的に固定するためには方法は限られず、常法を用いることができる。電力ケーブルは、抜けないように内部で機械的に固定されると共に、ケーブル挿入孔から水分の侵入を防ぐためオーリングや、被覆樹脂が可撓性を有するため、ケーブルの直径よりも僅かに小さい径の狭隘部にて保持し水の侵入を防ぐこと等が例示される。
電力ケーブル６０、電力ケーブル６１が更にそれぞれ着脱コネクター（図示せず）を介して電力線に接続されていれば、スイッチが損傷してもコネクタの着脱により実施例２のスイッチを簡易に交換でき便利である。
【００７４】
スライド板１０は筐体本体１０２内の図１１（ａ）正面図の両上下方向の展伸部内にスライド可能に格納されている。
スライド板の上部には外径が筐体本体１０２の上下方向の展伸部の内径よりも僅かに小さい外径の円筒状のラムスライド１２０が接続されており、ラムスライド１２０の外側面にはオーリングが、ラムスライドの溝に嵌めこまれている。スライド板１０とラムスライド１２０は固定具（図示せず）にて固定されており、同様にスライド板の下部には外径が筐体１０２の上下方向の展伸部の内径よりも僅かに小さい外径の円筒状のラムスライド１３０が接続されており、ラムスライド１３０の外側面にはオーリングが、ラムスライドの溝に嵌めこまれている。スライド板１０とラムスライド１２０は固定具（図示せず）にて固定されている。
このため、スライド板１０と上下のラムスライドは一体となって、筐体本体１０２の上下方向の両展伸部内を水密的に上下に摺動可能にされている。したがって、スライド板１０のスライド操作は、水密的にされているため、防水的に安全に操作できる。
【００７５】
筐体本体１０２の図１１（ａ）正面図の上下方向の展伸部には、該展伸部の外径より僅かに大きい内径の断面円形状のキャップ２、３が被せられている。筐体本体１０２の図１１（ａ）正面図の上下方向の展伸部に対しキャップ２、３は上下方向に摺動可能である。
ラムスライド１２０とキャップ２とが接続具１２２で固定されており、同様にラムスライド１３０とキャップ３とが接続具１３２で固定されている。したがってキャップ２、キャップ３のいずれかを筐体本体１０２に対し図１１（ａ）正面図の上下方向にスライドさせることにより、スライド板１０が連動して図１１（ａ）正面図の上下方向にスライドする。
【００７６】
スライド板１０のスライド長さを確保するため、キャップ２の下げ代又はキャップ３の上げ代に対応した間隔が筐体本体１０２の図１１（ａ）正面図の上下方向の展伸部の上部長さ又は下部長さに対し、キャップ２、キャップが上下に移動できるようにされている。
本実施例ではそのスライド長さに対応した幅（スライド板のスライド方向の長さ）を有する止めリング１４０が取り付け取り外しが可能に付設されている。
筐体本体１０２の図１１（ａ）正面図の上下方向の展伸部の左右方向の展伸との結節点から上側の根元部又は下側の根元部に、通電状態か遮断状態のいずれか望む状態に対応して、止めリングを取り付けることにより、スライド板の位置を保持することができるようになっている。
【００７７】
止めリング１４０は上下方向の展伸部が断面円形のためその外径に略合致した内径の円筒状で円筒側面の一部が欠損したＣ字状断面になっており、肉厚はキャップ２、キャップ３の肉厚に略等しい肉厚を有しており、耐侯性と弾性を有する樹脂等の材料にてなる。止めリング１４０を筐体本体１０２の図１１（ａ）正面図の上下方向の展伸部の左右方向の展伸部との結節点から上側の根元部又は下側の根元部のいずれに取り付けることで、通電状態か、遮断状態かいずれかの状態を保持することができる。図１１（ａ）正面図においては、止めリング１４０を筐体本体１０２の図１１（ａ）正面図の上下方向の展伸部の左右方向の展伸との結節点から上側の根元部にとりつけられており、図１１（ａ）正面図の内部のスイッチ構造１０１が見えている様に、スライド板１０が上方向にあり主電極、補助電極が共に導電部１２に接していて通電状態にある。
【００７８】
一方図１２（ａ）正面図においては止めリング１４０を筐体本体１０２の図１２（ａ）正面図の上下方向の展伸部の左右方向の展伸との結節点から下側の根元部にとりつけられており、内部のスイッチ構造１０１が見えている様に、スライド板が図１１の状態から下方向にスライドされており、主電極、補助電極が共に絶縁部１１に接していて遮断状態にある。  
【００７９】
キャップ２、キャップ３は色、文字表記等にて外観上の相違が明らかにされ、筐体本体１０２に対するキャップ２、キャップ３の上下の位置、止めリングの嵌められている位置にて通電状態か、遮断状態かが一見してわかるようになっていてもよい。
例えば、スイッチ本体の側面に、止めリング１４０の側面に文字「Ｏ」、キャップ２に文字「Ｎ」、キャップ３に文字「ＦＦ」をスライド板のスライド方向に一直線上に表示しておけば、止めリング１４０が筐体本体１０２の図８（ａ）正面図の上方向の展伸部に止めつけられておれば、スイッチ本体の側面を見た時に、文字「Ｏ」とキャップ２の文字「Ｎ」とが連なり結節点側からは文字が「Ｏ」「Ｎ」と並んであおり、スイッチがＯＮ、すなわち導通状態にあることがわかる。同様に止めリング１４０が筐体本体１０２の図９（ａ）正面図の下方向の展伸部に止めつけられておれば文字「Ｏ」とキャップ３の文字「ＦＦ」とが連なり結節点側からは文字が「Ｏ」「ＦＦ」と並び、スイッチがＯＦＦ、すなわち絶縁状態にあることがわかる。
【００８０】
尚、内部のスライド板１０の位置がわかるように、キャップ２、キャップ３、筐体本体１０２の図４（ａ）正面図の上下方向の展伸部の一部又は全部が透明であってもよい。特に電極近傍の損傷を外部から観察するため、筐体本体１０２の図４（ａ）正面図の上下方向の展伸部の一部又は全部が透明になっていてもよい。損傷の程度が把握できれば交換の時期がわかりやすいからである。
【００８１】
実施例５のスイッチにおいて、実施例２の導電セラミックスを中間帯に用いたスライド板を用いたものでは、直流電源装置で発生した直流１０００Ｖをスイッチに通電したところ、１００回以上の繰り返し開閉ができることが確認された。
【００８２】
実施例５のスイッチは、太陽光発電システムにおいて、例えば図１３のような太陽光発電システムに用いる事が出来る。太陽電池パネル７０で発電された電流は接続箱８０、パワーコンディショナ９０を介して系統（図示せず）に接続されるが、電池パネル毎、太陽電池パネルをまとめた群毎に予めスイッチ１１１を接続設置しておけば、その単位内のみの電流を容易に遮断することができるため、接続された系統に部分的な影響しか与えず、安全に太陽電池パネルの補修等を行うことができる。
【産業上の利用可能性】
【００８３】
本発明のスイッチは太陽光発電システム等の単位ユニット毎の直流電力発生システムにおいて、例えば太陽電池モジュールから接続箱との間の電力ケーブル間に設置され当該部分を補修する時に電流を遮断するような単位の補修等のために適宜利用され得る。
【符号の説明】
【００８４】
１      筐体
１０１  スイッチ構造要部
１０２  筐体本体
２、３  キャップ
１０    スライド板
１１    絶縁部
１２    導電部
１３    絶縁部と導電部との境界
１４    スライド板中間帯
１５    絶縁部と中間帯との境界
１６    中間帯と導電部との境界
２０    主陰電極板
２１    主陰電極接点
３０    主陽電極板
３１    主陽電極接点
４０    補助陰電極板
４１    補助陰電極接点
５０    補助陽電極板
５１    補助陽電極接点
６０    陰極電力ケーブル
６１    陽極電力ケーブル
７０    太陽電池パネル
８０    接続箱
９０    パワーコンディショナ
１１１  スイッチ
１２０  ラムスライド
１２１  オーリング
１２２  接続具
１３０  ラムスライド
１３１  オーリング
１３２  接続具
１４０  止めリング
【図１】
2015230888.tif 000003
【図２】
2015230888.tif 000004
【図３】
2015230888.tif 000005
【図４】
2015230888.tif 000006
【図５】
2015230888.tif 000007
【図６】
2015230888.tif 000008
【図７】
2015230888.tif 000009
【図８】
2015230888.tif 000010
【図９】
2015230888.tif 000011
【図１０】
2015230888.tif 000012
【図１１】
2015230888.tif 000013
【図１２】
2015230888.tif 000014
【図１３】
2015230888.tif 000015